(57)【要約】【課題】  携帯電話本体を耳に当てることなく、携帯電話の音声を聞けるようにし、或いは、通話を可能とし、且つ、イヤホン及びコードを収納できるようにすると共に、イヤホン及びコードの取り出しも容易にした携帯電話用品を提供する。【解決手段】  携帯電話に取り付け自在で、且つ、人の首に吊下自在の所定巾を有するネックストラップ３と、ネックストラップ３の基端部近傍からネックストラップ３の長手方向に取り付けられ、ネックストラップ３の基端部方向にスライダー４を摺動させて開動作を行う所定長さのファスナー５と、ファスナー５の取り付けによってネックストラップ３とファスナー５間に形成される収納部６と、収納部６内にプラグ側コード部７が収納され、携帯電話に接続自在のコード付きイヤホンユニット８と、ファスナー５の開放始端近傍に設けられ、イヤホンユニット８のコード９を折曲して折り返す折り返し手段１０とを具備する携帯電話用品。【選択図】  図２
2005168071.tif 000002
【特許請求の範囲】
【請求項１】
携帯電話に取り付け自在で、且つ、人の首に吊下自在の所定巾を有するネックストラップと、
該ネックストラップの基端部近傍から該ネックストラップの長手方向に取り付けられ、該ネックストラップの基端部方向にスライダーを摺動させて開動作を行う所定長さのファスナーと、
該ファスナーの取り付けによって該ネックストラップと該ファスナー間に形成される収納部と、
前記ファスナーの開放始端近傍に設けられ、前記携帯電話に接続自在のコード付きイヤホンユニットのコードを折曲して折り返す折り返し手段とを備え、
前記イヤホンユニットのプラグ側コード部を前記収納部内に収納自在であると共に、前記折り返し手段によって折り返された該イヤホンユニットのイヤホン側コード部及びイヤホンが該収納部内に収納自在に構成されていることを特徴とする携帯電話用品。
【請求項２】
携帯電話に取り付け自在で、且つ、人の首に吊下自在の所定巾を有するネックストラップと、
該ネックストラップの基端部近傍から該ネックストラップの長手方向に取り付けられ、該ネックストラップの基端部方向にスライダーを摺動させて開動作を行う所定長さのファスナーと、
該ファスナーの取り付けによって該ネックストラップと該ファスナー間に形成される収納部と、
該収納部内にプラグ側コード部が収納され、前記携帯電話に接続自在のコード付きイヤホンユニットと、
前記ファスナーの開放始端近傍に設けられ、該イヤホンユニットのコードを折曲して折り返す折り返し手段とを具備し、
該折り返し手段によって折り返された該イヤホンユニットのイヤホン側コード部及びイヤホンが前記収納部内に収納自在に構成されていることを特徴とする携帯電話用品。
【請求項３】
上記収納部の両端近傍の上記ネックストラップ、及び／又は、ファスナーに上記コードを貫通させる孔が開穿され、該孔にハトメが設けられていることを特徴とする請求項２記載の携帯電話用品。
【請求項４】
上記コードは上記ネックストラップに合わせ、且つ、使用状態に合わせて所定長さに切断され、切断部がジョイントで連結されていることを特徴とする請求項２又は３記載の携帯電話用品。
【請求項５】
上記ネックストラップは、上記ファスナーの取り付け部位が断面中空状に形成されていることを特徴とする請求項１，２，３又は４記載の携帯電話用品。
【請求項６】
上記収納部のうち、上記イヤホンを収納する部位がイヤホンの収納を容易とすべく大容積となるように形成されていることを特徴とする請求項１，２，３，４又は５記載の携帯電話用品。
【請求項７】
携帯電話に取り付け自在で、且つ、人の首に吊下自在の所定巾を有するネックストラップと、
該ネックストラップの基端部近傍から長手方向に取り付けた所定長さの可撓性部材と、
該可撓性部材の取り付けによって該ネックストラップと該可撓性部材間に形成される収納部と、
前記携帯電話に接続自在のコード付きイヤホンユニットのイヤホンを嵌着自在とするため、該可撓性部材に開穿された嵌着部と、
前記可撓性部材の長手方向に形成した該嵌着部と連通する長溝と、
前記イヤホンユニットのコードの折り返しをするため、該可撓性部材の終端部近傍に形成した折り返し手段とを備え、
前記イヤホンユニットのプラグ側コード部を前記収納部内に収納すると共に、前記折り返し手段によって折り返されたイヤホン側コード部を前記長溝内に着脱自在に収納し、更に、前記イヤホンを前記嵌着部内に着脱自在に嵌着させるように構成したことを特徴とする携帯電話用品。
【請求項８】
上記イヤホンユニットには左右の耳に装着するために２個のイヤホンが備えられ、該２個のイヤホン及び該イヤホンに接続されるコードを収納すべく、上記ネックストラップの基端部近傍の左右ネックストラップ部に上記収納部が夫々備えられることを特徴とする請求項１，２，３，４，５，６又は７記載の携帯電話用品。
【請求項９】
上記イヤホンは、マイク付きイヤホンであることを特徴とする請求項１，２，３，４，５，６，７又は８記載の携帯電話用品。
【発明の詳細な説明】
【技術分野】
【０００１】
本発明は、携帯電話用品に関し、特に、携帯電話に接続自在のコード付きイヤホンユニットのコード及びイヤホンをネックストラップに取り付け、携帯電話を耳に当てることなく、携帯電話の音声を聞けるようにし、又は、通話を可能とし、且つ、イヤホン及びコードの出し入れを容易にした携帯電話用品に関するものである。
【背景技術】
【０００２】
近年、テレビ携帯電話や、音楽を聞く機能を備えた携帯電話が普及している。
【０００３】
然しながら、テレビ携帯電話や、携帯電話で音楽を聞く機能を利用する場合に於いては、従来の携帯電話の本体に備わったイヤホンやマイクでは、利用しにくい、或いは、利用できないという問題が発生する。
【０００４】
例えば、音楽を聞く場合に、携帯電話本体に備わったイヤホンを耳に当てて聞く場合は、聞きづらい、音漏れがする、或いは、携帯電話を持った手が疲れてしまう等の問題があり、又、テレビ携帯電話を利用する場合に於いては、携帯電話の本体に備わったイヤホンやマイクを利用して画面を見ながら通話する場合に、聞きづらい、話にくいという問題があり、更には、聞きづらいために、不用意にイヤホンを耳に当ててしまい、画面に耳の拡大画面が映し出される等の失敗が発生する虞もある。
【０００５】
そこで、携帯電話にコード付きイヤホンを付けて用いる場合があるが、その時、イヤホンや、イヤホンに接続されるコード等の取り出し、収納が煩雑であり、利便性が悪いという問題がある。
【０００６】
そこで、イヤホンや、コード等の取り扱いの利便性を改善するために、例えば、特許文献１に於いては、携帯電話用ネックストラップ装置が記載されている。
【０００７】
この携帯電話用ネックストラップ装置は、携帯電話器を首に吊り下げるための吊り紐と、イヤホン及びマイクをプラグを介して携帯電話器に接続するイヤホンコードとを備え、イヤホンコードのプラグからイヤホン及びマイクに至る中間部が吊り紐に沿うように保持されている。
【０００８】
これによって、携帯電話器を首に吊り下げると共にイヤホン及びマイクを通して携帯電話器による通話をする場合に、イヤホンコードと吊り紐の取り扱いが簡単で邪魔にならないというものである。
【特許文献１】特開２００１−２７４８８６号公報
【発明の開示】
【発明が解決しようとする課題】
【０００９】
然しながら、上記携帯電話用ネックストラップ装置に於いては、イヤホンを使用しない場合に、イヤホンとイヤホンに接続されるコードが収納されないために、邪魔になったり、見栄えが悪いという問題が発生し、又、携帯電話用ネックストラップ装置をポケットやバッグ等に収納する場合にもイヤホンとイヤホンに接続されるコードが嵩張って収納し難いという問題がある。
【００１０】
以上の現状に鑑み、本発明は、携帯電話本体を耳に当てることなく、携帯電話の音声を聞けるようにし、或いは、通話を可能とし、且つ、イヤホン及びコードを収納できるようにすると共に、イヤホン及びコードの取り出しも容易にした携帯電話用品を提供することを目的とする。
【課題を解決するための手段】
【００１１】
上記の課題を解決すべく、本発明は以下の構成を提供する。
請求項１に係る発明は、携帯電話に取り付け自在で、且つ、人の首に吊下自在の所定巾を有するネックストラップと、
該ネックストラップの基端部近傍から該ネックストラップの長手方向に取り付けられ、該ネックストラップの基端部方向にスライダーを摺動させて開動作を行う所定長さのファスナーと、
該ファスナーの取り付けによって該ネックストラップと該ファスナー間に形成される収納部と、
前記ファスナーの開放始端近傍に設けられ、前記携帯電話に接続自在のコード付きイヤホンユニットのコードを折曲して折り返す折り返し手段とを備え、
前記イヤホンユニットのプラグ側コード部を前記収納部内に収納自在であると共に、前記折り返し手段によって折り返された該イヤホンユニットのイヤホン側コード部及びイヤホンが該収納部内に収納自在に構成されていることを特徴とする携帯電話用品を提供するものである。
【００１２】
請求項２に係る発明は、携帯電話に取り付け自在で、且つ、人の首に吊下自在の所定巾を有するネックストラップと、
該ネックストラップの基端部近傍から該ネックストラップの長手方向に取り付けられ、該ネックストラップの基端部方向にスライダーを摺動させて開動作を行う所定長さのファスナーと、
該ファスナーの取り付けによって該ネックストラップと該ファスナー間に形成される収納部と、
該収納部内にプラグ側コード部が収納され、前記携帯電話に接続自在のコード付きイヤホンユニットと、
前記ファスナーの開放始端近傍に設けられ、該イヤホンユニットのコードを折曲して折り返す折り返し手段とを具備し、
該折り返し手段によって折り返された該イヤホンユニットのイヤホン側コード部及びイヤホンが前記収納部内に収納自在に構成されていることを特徴とする携帯電話用品を提供するものである。
【００１３】
請求項３に係る発明は、上記収納部の両端近傍の上記ネックストラップ、及び／又は、ファスナーに上記コードを貫通させる孔が開穿され、該孔にハトメが設けられていることを特徴とする請求項２記載の携帯電話用品を提供するものである。
【００１４】
請求項４に係る発明は、上記コードは上記ネックストラップに合わせ、且つ、使用状態に合わせて所定長さに切断され、切断部がジョイントで連結されていることを特徴とする請求項２又は３記載の携帯電話用品を提供するものである。
【００１５】
請求項５に係る発明は、上記ネックストラップは、上記ファスナーの取り付け部位が断面中空状に形成されていることを特徴とする請求項１，２，３又は４記載の携帯電話用品を提供するものである。
【００１６】
請求項６に係る発明は、上記収納部のうち、上記イヤホンを収納する部位がイヤホンの収納を容易とすべく大容積となるように形成されていることを特徴とする請求項１，２，３，４又は５記載の携帯電話用品を提供するものである。
【００１７】
請求項７に係る発明は、携帯電話に取り付け自在で、且つ、人の首に吊下自在の所定巾を有するネックストラップと、
該ネックストラップの基端部近傍から長手方向に取り付けた所定長さの可撓性部材と、
該可撓性部材の取り付けによって該ネックストラップと該可撓性部材間に形成される収納部と、
前記携帯電話に接続自在のコード付きイヤホンユニットのイヤホンを嵌着自在とするため、該可撓性部材に開穿された嵌着部と、
前記可撓性部材の長手方向に形成した該嵌着部と連通する長溝と、
前記イヤホンユニットのコードの折り返しをするため、該可撓性部材の終端部近傍に形成した折り返し手段とを備え、
前記イヤホンユニットのプラグ側コード部を前記収納部内に収納すると共に、前記折り返し手段によって折り返されたイヤホン側コード部を前記長溝内に着脱自在に収納し、更に、前記イヤホンを前記嵌着部内に着脱自在に嵌着させるように構成したことを特徴とする携帯電話用品を提供するものである。
【００１８】
請求項８に係る発明は、上記イヤホンユニットには左右の耳に装着するために２個のイヤホンが備えられ、該２個のイヤホン及び該イヤホンに接続されるコードを収納すべく、上記ネックストラップの基端部近傍の左右ネックストラップ部に上記収納部が夫々備えられることを特徴とする請求項１，２，３，４，５，６又は７記載の携帯電話用品を提供するものである。
【００１９】
請求項９に係る発明は、上記イヤホンは、マイク付きイヤホンであることを特徴とする請求項１，２，３，４，５，６，７又は８記載の携帯電話用品を提供するものである。
【発明の効果】
【００２０】
本発明の請求項１記載の発明によれば、携帯電話に取り付け自在で、且つ、人の首に吊下自在の所定巾を有するネックストラップと、
該ネックストラップの基端部近傍から該ネックストラップの長手方向に取り付けられ、該ネックストラップの基端部方向にスライダーを摺動させて開動作を行う所定長さのファスナーと、
該ファスナーの取り付けによって該ネックストラップと該ファスナー間に形成される収納部と、
前記ファスナーの開放始端近傍に設けられ、前記携帯電話に接続自在のコード付きイヤホンユニットのコードを折曲して折り返す折り返し手段とを備え、
前記イヤホンユニットのプラグ側コード部を前記収納部内に収納自在であると共に、前記折り返し手段によって折り返された該イヤホンユニットのイヤホン側コード部及びイヤホンが該収納部内に収納自在に構成されている携帯電話用品を提供するので、携帯電話に接続自在のコード付きイヤホンユニットと組み合わせて、携帯電話本体を耳に当てることなく、携帯電話の音声を聞けるようにし、或いは、通話を可能とし、且つ、イヤホン及びコードを収納できるようにすると共に、イヤホン及びコードの取り出しも容易にした携帯電話用品を提供できる。
【００２１】
請求項２記載の発明によれば、携帯電話に取り付け自在で、且つ、人の首に吊下自在の所定巾を有するネックストラップと、
該ネックストラップの基端部近傍から該ネックストラップの長手方向に取り付けられ、該ネックストラップの基端部方向にスライダーを摺動させて開動作を行う所定長さのファスナーと、
該ファスナーの取り付けによって該ネックストラップと該ファスナー間に形成される収納部と、
該収納部内にプラグ側コード部が収納され、前記携帯電話に接続自在のコード付きイヤホンユニットと、
前記ファスナーの開放始端近傍に設けられ、該イヤホンユニットのコードを折曲して折り返す折り返し手段とを具備し、
該折り返し手段によって折り返された該イヤホンユニットのイヤホン側コード部及びイヤホンが前記収納部内に収納自在に構成されている携帯電話用品を提供するので、携帯電話本体を耳に当てることなく、携帯電話の音声を聞けるようにし、或いは、通話を可能とし、且つ、イヤホン及びコードを収納できるようにすると共に、イヤホン及びコードの取り出しも容易にした携帯電話用品を提供できる。
【００２２】
請求項３記載の発明によれば、上記収納部の両端近傍の上記ネックストラップ、及び／又は、ファスナーに上記コードを貫通させる孔が開穿され、該孔にハトメが設けられているので、請求項２記載の発明の効果に加え、前記孔によってコードを収納部内に導入することができ、前記ハトメによって、孔の損傷を防ぐことができると共に、コードの移動を円滑にすることができる。
【００２３】
請求項４記載の発明によれば、上記コードは上記ネックストラップに合わせ、且つ、使用状態に合わせて所定長さに切断され、切断部がジョイントで連結されているので、請求項２又は３記載の発明の効果に加え、市販のイヤホンユニットを用いた場合に、コードの長さがネックストラップに合わせて調整され、利便性が向上すると共に、見栄えが良くなる。
【００２４】
請求項５記載の発明によれば、上記ネックストラップは、上記ファスナーの取り付け部位が断面中空状に形成されているので、請求項１，２，３又は４記載の発明の効果に加え、ネックストラップの中空部を収納部とすることができ、収納部の容積を大きくすることができ、イヤホン側コード部及びイヤホンの収納が容易になる。又、収納部の容積が大きく取れるためネックストラップの巾を小さくすることができる。
【００２５】
請求項６記載の発明によれば、上記収納部のうち、上記イヤホンを収納する部位がイヤホンの収納を容易とすべく大容積となるように形成されているので、請求項１，２，３，４又は５記載の発明の効果に加え、イヤホンの収納及び取り出しが容易となる。
【００２６】
請求項７記載の発明によれば、携帯電話に取り付け自在で、且つ、人の首に吊下自在の所定巾を有するネックストラップと、
該ネックストラップの基端部近傍から長手方向に取り付けた所定長さの可撓性部材と、
該可撓性部材の取り付けによって該ネックストラップと該可撓性部材間に形成される収納部と、
前記携帯電話に接続自在のコード付きイヤホンユニットのイヤホンを嵌着自在とするため、該可撓性部材に開穿された嵌着部と、
前記可撓性部材の長手方向に形成した該嵌着部と連通する長溝と、
前記イヤホンユニットのコードの折り返しをするため、該可撓性部材の終端部近傍に形成した折り返し手段とを備え、
前記イヤホンユニットのプラグ側コード部を前記収納部内に収納すると共に、前記折り返し手段によって折り返されたイヤホン側コード部を前記長溝内に着脱自在に収納し、更に、前記イヤホンを前記嵌着部内に着脱自在に嵌着させるように構成した携帯電話用品を提供するので、携帯電話に接続自在のコード付きイヤホンユニットと組み合わせて、携帯電話本体を耳に当てることなく、携帯電話の音声を聞けるようにし、或いは、通話を可能とし、且つ、イヤホン及びコードを収納できるようにすると共に、イヤホン及びコードの取り出しを容易にした携帯電話用品を提供できる。
【００２７】
請求項８記載の発明によれば、上記イヤホンユニットには左右の耳に装着するために２個のイヤホンが備えられ、該２個のイヤホン及び該イヤホンに接続されるコードを収納すべく、上記ネックストラップの基端部近傍の左右ネックストラップ部に上記収納部が夫々備えられるので、請求項１，２，３，４，５，６又は７記載の発明の効果に加え、ステレオ音声で聞くことができると共に、２個のイヤホンと、コードを容易に収納でき、且つ、取り出すことができる。
【００２８】
請求項９記載の発明によれば、上記イヤホンは、マイク付きイヤホンであるので、請求項１，２，３，４，５，６，７又は８記載の発明の効果に加え、マイク付きイヤホンによって通話が可能となる。
【発明を実施するための最良の形態】
【００２９】
以下、実施例を示した図面を参照しつつ本発明の実施の形態を説明する。
図１及び図２に於いて、１は本発明の請求項２記載の携帯電話用品であり、携帯電話用品１は、携帯電話２に取り付け自在で、且つ、人の首に吊下自在の所定巾を有するネックストラップ３と、ネックストラップ３の基端部近傍からネックストラップ３の左右ネックストラップ部３ａ，３ｂの長手方向に取り付けられ、ネックストラップ３の基端部方向にスライダー４を摺動させて開動作を行う所定長さの左右のファスナー５，５と、ファスナー５，５の取り付けによって左右ネックストラップ部３ａ，３ｂとファスナー５，５間に夫々形成される収納部６，６と、収納部６，６内にプラグ側コード部７，７が収納され、前記携帯電話２に接続自在のコード付きイヤホンユニット８と、前記ファスナー５，５の開放始端近傍に設けられ、イヤホンユニット８のコード９を折曲して折り返す折り返し手段１０，１０とを具備している。
【００３０】
そして、前記ネックストラップ３は、布、皮、又は、軟質の合成樹脂等から成り、ベルト状体で両基端部が相互に結着されてループ状に形成され、基端部先端にリング１１が設けられ、リング１１に結着用紐１２を備えたストラップ取り付け具１３が取り付けられている。
【００３１】
又、前記ファスナー５は、両側辺と、開放終端辺が前記ネックストラップ３に結着されており、ネックストラップ３とファスナー５間に袋状の前記収納部６が形成されている。
【００３２】
更に、ネックストラップ３基端部近傍の左ネックストラップ部３ａに第１の孔１５ａが開穿され、左の収納部６の上端（図に於いて上端）近傍の左ネックストラップ部３ａに第２の孔１５ｂが開穿され、左の収納部６の下端（図に於いて下端）近傍のファスナー５に第３の孔１５ｃが開穿され、右の収納部６の上端（図に於いて上端）近傍の右ネックストラップ部３ｂに第４の孔１５ｄが開穿され、右の収納部６の下端（図に於いて下端）近傍のファスナー５に第５の孔１５ｅが開穿されている。
【００３３】
そして、それらの孔１５ａ〜１５ｅのネックストラップ３又はファスナー５にはハトメ１６，１６…が設けられている。そして、このハトメ１６，１６…のうち、第３の孔１５ｃと、第５の孔１５ｅのハトメ１６，１６が前記折り返し手段１０，１０となっている。
【００３４】
又、前記イヤホンユニット８には左右の耳に装着するために２個のマイク付きイヤホン１７，１７が備えられ、プラグ１８から延びるコード９が途中で分岐してこのマイク付きイヤホン１７，１７に接続されている。
【００３５】
尚、このマイク付きイヤホン１７，１７はステレオ音声用であるが、モノラル音声用であっても良い。又、マイク付きイヤホン１７はマイク（図示せず）がイヤホン部１７ａと一体に設けられたものであるが、イヤホン部１７ａと離間させて、口元に近い位置となるコード９の途中に仮想線で示すマイク１７ｂを設けたものでも良く、或いは、図示は省略するがイヤホン部１７ａから口元に近い位置までアームを延ばし、そのアームの先端にマイクを設けたものでも良い。そして、その場合のマイクもステレオ音声用に２個、或いは、モノラル音声用に１個設けることができる。
【００３６】
そして、前記コード９は、後述するようにネックストラップ３の長さに合わせ、且つ、携帯電話（図１に於いて２）の使用状態に合わせて所定長さに切断され、図２（ｂ）に示すように、切断部がジョイント１９，１９…で連結されている。
【００３７】
而して、前記ネックストラップ３に前記イヤホンユニット８を取り付ける場合は、イヤホンユニット８のコード９の分岐部９ａから延びる３本の線の分岐部９ａ近傍を切断して、プラグ１８と接続する第１のコード部９ｂ、左のマイク付きイヤホン１７と接続する第２のコード部９ｃ、右のマイク付きイヤホン１７と接続する第３のコード部９ｄ、及び、分岐コード部９ｅに分断し、第１コード部９ｂを前記第１の孔１５ａの外側から内側に貫通させ、前記第２コード部９ｃを前記第３の孔１５ｃの外側から内側に貫通させると共に、左の収納部６内を配線して前記第２の孔１５ｂの内側から外側に貫通させ、前記第３コード部９ｄを前記第５の孔１５ｅの外側から内側に貫通させると共に、右の収納部６内を配線して前記第４の孔１５ｄの内側から外側に貫通させ、前記第１コード部９ｂ、第２コード部９ｃ、第３コード部９ｄを、前記ネックストラップ３に長さに合わせ、且つ、前記携帯電話用品１の使用状態に合わせて所定に長さに切断した後、ジョイント１９，１９…を用いて、前記分岐コード部９ｅの対応する箇所に連結する。
【００３８】
図３は、前記携帯電話用品１の使用状態を示しており、携帯電話用品１を前記結着用紐１２によって携帯電話２に取り付け、前記プラグ１８を携帯電話２に装着し、携帯電話用品１を首に掛けて携帯電話２を吊下し、前記マイク付きイヤホン１７，１７を耳に装着し、携帯電話２の画面を見える状態に開いて、携帯電話２を手で保持する。この状態で携帯電話２の画面を見ながら、携帯電話２の音声を聞くことができると共に、通話も可能となり、テレビ電話として利用でき、或いは、テレビ放送を見ることも可能になる。
【００３９】
尚、携帯電話２によって音楽を聞く場合で、画面を見る必要がない場合は、携帯電話２の画面を閉じて、携帯電話２から手を離して携帯電話２を吊下状態にして、音楽を聞くことも可能である。
【００４０】
そして、図２の状態から、マイク付きイヤホン１７及びマイク付きイヤホン１７に接続されるイヤホン側コード部２０を収納する場合を説明すると、ファスナー５のスライダー４をネックストラップ３の基端側にスライドさせてファスナー５を開き、コード９を前記折り返し手段１０で折り返してマイク付きイヤホン１７及びイヤホン側コード部２０を前記収納部６内に収納してファスナー５を閉じる。図４は、このマイク付きイヤホン１７及びイヤホン側コード部２０が収納された状態を示している。
【００４１】
尚、前記携帯電話用品１が携帯電話２に装着された状態、即ち前記結着用紐１２が携帯電話２に結着され、イヤホンユニット８のプラグ１８が携帯電話２に差し込まれた状態で、図４のようにマイク付きイヤホン１７及びイヤホン側コード部２０を収納することも可能である。
【００４２】
又、マイク付きイヤホン１７を使用する時は、ファスナー５を開けばマイク付きイヤホン１７及びイヤホン側コード部２０は容易に取り出すことができる。
【００４３】
斯くして、前記携帯電話用品１は、携帯電話本体２ａを耳に当てることなく、携帯電話２の音声を聞くことができ、或いは、通話が可能となり、且つ、マイク付きイヤホン１７及びイヤホン側コード部２０を容易に収納できると共に、マイク付きイヤホン１７及びイヤホン側コード部２０の取り出しも容易である。
【００４４】
又、第１の孔１５ａ〜第５の孔１５ｅにハトメ１６，１６…が設けられているので、ハトメ１６，１６…によって、第１の孔１５ａ〜第５の孔１５ｅの損傷を防ぐことができると共に、コード９の移動を円滑にすることができる。
【００４５】
更に、コード９はネックストラップ３の長さ及び使用状態に合わせて所定長さに切断され、切断部がジョイント１９，１９…で連結されているので、コード９の長さがネックストラップ３に合わせて調整され、利便性が良くなると共に見栄えが良くなる。
【００４６】
更に又、イヤホンユニット８には左右の耳に装着するために２個のマイク付きイヤホン１７，１７が備えられるので、両耳で聞くことができ、或いは、ステレオ音声で聞くことができ、更に、該２個のマイク付きイヤホン１７，１７及びマイク付きイヤホン１７，１７に接続されるイヤホン側コード部２０，２０を収納すべく、ネックストラップ３の基端部近傍の左右ネックストラップ部３ａ，３ｂに収納部６が夫々備えられるので、マイク付きイヤホン１７，１７及びイヤホン側コード部２０，２０を容易に収納でき、且つ、取り出すことができる。尚、イヤホンユニット８のマイク付きイヤホン１７を１個にして片耳のみ装着するタイプにすることも可能であり、又、イヤホンユニット８のマイク付きイヤホン１７に代えてマイクを備えないイヤホンとすることも可能である。
【００４７】
図５に於いて、３１は本発明の請求項１記載の携帯電話用品であり、携帯電話用品３１は、前記携帯電話用品（図１に於いて１）に於いて、イヤホンユニット（図１に於いて８）が取り付けられていないものであり、後付けで市販のイヤホンユニットが取り付けられることを想定したものである。
【００４８】
そのため、前記携帯電話用品（図１に於いて１）の第１の孔（図２に於いて１５ａ）に代えて、イヤホンユニットのマイク付きイヤホンを貫通する大きさに拡がる第１の孔３２ａ、第２の孔（図２に於いて１５ｂ）に代えて、プラグ（図示せず）を貫通する大きさに拡がる第２の孔３２ｂ、第３の孔（図２に於いて１５ｃ）に代えて、ファスナー５の開放始端近傍に折り返し手段である留めリング３３が設けられ、第４の孔（図２に於いて１５ｄ）に代えて、マイク付きイヤホンを貫通する大きさに拡がる第３の孔３２ｃ、第５の孔（図２に於いて１５ｅ）に代えて、ファスナー５の開放始端近傍に折り返し手段である留めリング３４が設けられている。
【００４９】
図６は、前記携帯電話用品３１に前記イヤホンユニット８を取り付けた状態を示す。尚、イヤホンユニット８は市販品であり、前述の図２に示すような切断を行わないものであるが、切断して長さを調節したものを用いても良い。
【００５０】
次に、前記携帯電話用品３１に前記イヤホンユニット８を取り付ける方法を説明する。
【００５１】
先ず、イヤホンユニット８のプラグ１８を左ネックストラップ部３ａの内側から第１の孔３２ａを貫通させて左ネックストラップ部３ａの左方に突出させ、左ネックストラップ部３ａのファスナー５を開いて左側のマイク付きイヤホン１７を第２の孔３２ｂから収納部６内に貫通させ、収納部６内の留めリング３３を通過させてファスナー５の下端（図に於いて下端）から外方（図に於いて下方）に突出させて、ファスナー５を閉じ、右ネックストラップ部３ｂのファスナー５を開いて右側のマイク付きイヤホン１７を第３の孔３２ｃから収納部６内に貫通させ、収納部６内の留めリング３４を通過させてファスナー５の下端から外方に突出させて、ファスナー５を閉じると前記携帯電話用品３１に前記イヤホンユニット８を取り付けることができる。
【００５２】
この状態で、図３に示すような方法で使用することができる。
【００５３】
次に、図６の状態から、マイク付きイヤホン１７及びマイク付きイヤホン１７に接続されるイヤホン側コード部２０を収納する場合を説明すると、ファスナー５のスライダー４をネックストラップ３の基端側にスライドさせてファスナー５を開き、コード９を前記留めリング３３又は３４で折り返してマイク付きイヤホン１７及びイヤホン側コード部２０を前記収納部６内に収納してファスナー５を閉じる。図７は、このマイク付きイヤホン１７及びイヤホン側コード部２０が収納された状態を示している。
【００５４】
又、ファスナー５を開けばマイク付きイヤホン１７及びイヤホン側コード部２０は容易に取り出すことができる。
【００５５】
斯くして、前記携帯電話用品３１は、携帯電話本体（図１に於いて２ａ）を耳に当てることなく、携帯電話２の音声を聞くことができ、或いは、通話が可能となり、且つ、マイク付きイヤホン１７及びイヤホン側コード部２０を収納できるようにすると共に、マイク付きイヤホン１７及びイヤホン側コード部２０の取り出しも容易である。
【００５６】
更に又、イヤホンユニット８には左右の耳に装着するために２個のマイク付きイヤホン１７，１７が備えられ、該２個のマイク付きイヤホン１７，１７及びマイク付きイヤホン１７，１７に接続されるイヤホン側コード部２０，２０を収納すべく、ネックストラップ３の基端部近傍の左右ネックストラップ部３ａ，３ｂに収納部６が夫々備えられるので、ステレオ音声で聞くことができると共に、マイク付きイヤホン１７，１７及びイヤホン側コード部２０，２０を容易に収納でき、且つ、取り出すことができる。
【００５７】
又、前記携帯電話用品３１は、販売する時に、イヤホンユニット８が取り付けられていないので、販売単価を安くすることができる。又、イヤホンユニット８も市販のものをそのまま使うことができ、安価であると共に、イヤホンユニット８の取り付けも容易である。
【００５８】
図８に於いて、４１は本発明の請求項５記載の他の実施例である携帯電話用品を示し、携帯電話用品４１は、前記携帯電話用品（図２に於いて１）のベルト状体のネックストラップ（図２に於いて３）に代えて、少なくともファスナー５の取り付け部位を断面中空状に形成したネックストラップ４２を設けたものである。
【００５９】
これによると、ネックストラップ４２の一部を切開してその中空部４３を収納部とすることができ、収納部の容積を大きくすることができ、或いは、収納部の容積が大となることから、ネックストラップ４２の幅を小さくすることができる。
【００６０】
図９に於いて、５１は本発明の請求項６記載の他の実施例である携帯電話用品を示し、携帯電話用品５１は、前記携帯電話用品（図２に於いて１）の前記マイク付きイヤホン１７を収納する部位のスペースを広げるために大容積のイヤホン収納部５２を形成したものである。
【００６１】
これによって、マイク付きイヤホン１７の収納が更に容易となると共に、取り出しも容易となる。
【００６２】
図１０に於いて、６１は本発明の請求項７記載の他の実施例である携帯電話用品を示し、携帯電話用品６１は、前記携帯電話用品（図６に於いて３１）のファスナー（図６に於いて５）に代えて、軟質樹脂或いはゴム材料等から成る所定長さの可撓性部材６２を備え、可撓性部材６２は、ネックストラップ３の基端部近傍から長手方向に取り付けられ、この可撓性部材６２の取り付けによってネックストラップ３と可撓性部材６２間に収納部６３が形成される。尚、携帯電話用品６１は予めイヤホンユニット（図６に於いて８）が取り付けられておらず、市販のイヤホンユニットを後付けするものである。
【００６３】
又、可撓性部材６２には、コード付きイヤホンユニット８のマイク付きイヤホン１７を嵌着自在とするため、マイク付きイヤホン１７よりもやや小径に形成され、マイク付きイヤホン１７を弾圧して保持する嵌着部６４が開穿され、可撓性部材６２の長手方向に嵌着部６４と連通する長溝６５が形成されている。
【００６４】
長溝６５は、コード９の直径よりもやや狭い幅に形成され、コード９を長溝６５内に押し込んで弾圧状態に保持させるか、又は、長溝６５を通過させて収納部６３内に収納するように構成されている。
【００６５】
更に、携帯電話用品６１には、イヤホンユニット８を装着するため、前記携帯電話用品（図６に於いて３１）の第１の孔（図６に於いて３２ａ）に代えて、プラグ１８を貫通させる大きさに形成された第１の孔６６ａが左ネックストラップ部３ａの基端部に形成され、第２の孔（図６に於いて３２ｂ）に代えて、マイク付きイヤホン１７を貫通させる大きさに形成された第２の孔６６ｂが可撓性部材６２の始端（図に於いて上端）近傍に左ネックストラップ部３ａ及び可撓性部材６２を貫通して形成され、左ネックストラップ部３ａの可撓性部材６２の終端（図に於いて下端）近傍に、指先を貫通させる大きさに形成された第３の孔６６ｃが形成され、更に、第３の孔６６ｃよりも左ネックストラップ部３ａの側辺方向に所定間隔離間して、第３の孔６６ｃよりも小径の折り返し手段と成る第１の小孔６７ａが形成され、第３の孔（図６に於いて３２ｃ）に代えて、マイク付きイヤホン１７を貫通させる大きさに形成された第４の孔６６ｄが可撓性部材６２の始端（図に於いて上端）近傍に右ネックストラップ部３ｂ及び可撓性部材６２を貫通して形成され、右ネックストラップ部３ｂの可撓性部材６２の終端（図に於いて下端）近傍に、指先を貫通させる大きさに形成された第５の孔６６ｅが形成され、第５の孔６６ｅよりも右ネックストラップ部３ｂの側辺方向に所定間隔離間して、第５の孔６６ｅよりも小径の折り返し手段と成る第２の小孔６７ｂが形成されている。
【００６６】
更に又、左ネックストラップ部３ａに取り付けた可撓性部材６２に於いて、前記長溝６５は、前記第２の孔６６ｂから嵌着部６４と連通し、更に、前記第３の孔６６ｃに連通し、更に、第３の孔６６ｃを通過して後、向きを略直角に変えて前記第１の小孔６７ａに連通するように形成されている。
【００６７】
そして、右ネックストラップ部３ｂに取り付けた可撓性部材６２に於いて、前記長溝６５は、前記第４の孔６６ｄから嵌着部６４と連通し、更に、前記第５の孔６６ｅに連通し、更に、第５の孔６６ｅを通過して後、向きを略直角に変えて前記第２の小孔６７ｂに連通するように形成されている。
【００６８】
次に、前記携帯電話用品６１に前記イヤホンユニット８を取り付ける方法を説明する。
【００６９】
先ず、イヤホンユニット８のプラグ１８を左ネックストラップ部３ａの内側から第１の孔６６ａを貫通させて左ネックストラップ部３ａの左方に突出させ、左側のマイク付きイヤホン１７を第２の孔６６ｂから左方に貫通させ、コード９を収納部６３内に収納し、コード９を第１の孔６７ａから外方に突出させ、右側のマイク付きイヤホン１７を第４の孔６６ｄから右方に貫通させ、コード９を収納部６３内に収納し、コード９を第２の孔６７ｂから外方に突出させると、前記携帯電話用品６１に前記イヤホンユニット８を取り付けることができる。
【００７０】
この状態で、図３に示すような方法で使用することができる。
【００７１】
次に、図１０の状態から、マイク付きイヤホン１７及びマイク付きイヤホン１７に接続されるイヤホン側コード部２０を収納する場合を説明すると、図１１に示す如く、コード９を前記第１の小孔６７ａ又は第２の小孔６７ｂで折り返し、第１の小孔６７ａ又は第２の小孔６７ｂにコード９を係止させた状態で、イヤホン側コード部２０を指先で前記第３の孔６６ｃ又は第５の孔６６ｅに押し込み、更に、イヤホン側コード部２０を前記長溝６５内に押し込んで長溝６５にイヤホン側コード部２０を弾圧状態に保持させるか、又は、長溝６５を通過させて収納部６３内に収納し、更に、マイク付きイヤホン１７を嵌着部６４に嵌着させて収納する。
【００７２】
又、マイク付きイヤホン１７は嵌着部６４から引き出せば、容易に取り出すことができ、マイク付きイヤホン１７を引き出すと、イヤホン側コード部２０も引き出されて容易に取り出すことができる。
【００７３】
斯くして、前記携帯電話用品６１は、携帯電話本体（図１に於いて２ａ）を耳に当てることなく、携帯電話２の音声を聞くことができ、或いは、通話が可能となり、且つ、マイク付きイヤホン１７及びイヤホン側コード部２０を容易に収納できるようにすると共に、マイク付きイヤホン１７及びイヤホン側コード部２０の取り出しも容易である。
【００７４】
又、前記携帯電話用品６１は、販売時点で、予めイヤホンユニット８が取り付けられていないので、販売単価を安くすることができる。又、イヤホンユニット８も市販のものをそのまま使うことができ、安価であると共に、イヤホンユニット８の取り付けも容易である。
【図面の簡単な説明】
【００７５】
【図１】本発明の請求項２記載の携帯電話用品を携帯電話に取り付けた状態を示す平面図である。
【図２】（ａ）本発明の請求項２記載の携帯電話用品を示す斜視図である。（ｂ）本発明の請求項２記載の携帯電話用品のコードのジョイント部分を説明する平面図である。
【図３】本発明の請求項２記載の携帯電話用品を携帯電話に取り付け、且つ、首に吊下して使用している状態を示す斜視図である。
【図４】本発明の請求項２記載の携帯電話用品に於いて、マイク付きイヤホン及びイヤホン側コード部を収納した状態を示す斜視図である。
【図５】本発明の請求項１記載の携帯電話用品を示す斜視図である。
【図６】本発明の請求項１記載の携帯電話用品にイヤホンユニットを取り付けた状態を示す斜視図である。
【図７】本発明の請求項１記載の携帯電話用品にイヤホンユニットを取り付け、マイク付きイヤホン及びイヤホン側コード部を収納した状態を示す斜視図である。
【図８】本発明の請求項５記載の携帯電話用品を示す斜視図である。
【図９】本発明の請求項６記載の携帯電話用品を示す斜視図である。
【図１０】本発明の請求項７記載の携帯電話用品を示す斜視図である。
【図１１】本発明の請求項７記載の携帯電話用品に於いて、マイク付きイヤホン及びイヤホン側コード部を収納した状態を示す斜視図である。
【符号の説明】
【００７６】
１，３１，４２，５１，６１  携帯電話用品
２  携帯電話
３，４２  ネックストラップ
３ａ  左ネックストラップ部
３ｂ  右ネックストラップ部
４  スライダー
５  ファスナー
６，６３  収納部
８  イヤホンユニット
９  コード
１０  折り返し手段
１６  ハトメ
１７  マイク付きイヤホン
１９  ジョイント
２０  イヤホン側コード部
６２  可撓性部材
６４  嵌着部
６５  長溝
【図１】
2005168071.tif 000003
【図２】
2005168071.tif 000004
【図３】
2005168071.tif 000005
【図４】
2005168071.tif 000006
【図５】
2005168071.tif 000007
【図６】
2005168071.tif 000008
【図７】
2005168071.tif 000009
【図８】
2005168071.tif 000010
【図９】
2005168071.tif 000011
【図１０】
2005168071.tif 000012
【図１１】
2005168071.tif 000013